(57)【要約】【課題】  香りの強さの変化を感じることができる芳香器のファン制御方法及び芳香器を提供する。【解決手段】  制御部は、スイッチで弱選択端子が選択された際に第１駆動サイクル１５１のモータ制御信号をモータに出力し、強選択端子１４５が選択された際に第２駆動サイクル１５２のモータ制御信号を出力する。第２駆動サイクル１５２にて間欠サイクルＴ２に占める駆動時間Ｍ２の割合を、第１駆動サイクル１５１にて間欠サイクルＴ１に占める駆動時間Ｍ１の割合の少なくとも２．５倍以上に設定する。【選択図】        図１１
2006158466.tif 000002
【特許請求の範囲】
【請求項１】
薬剤が設けられたケーシング内と外部とで空気を流通させるファンを、所定時間駆動してから所定時間停止する間欠サイクルで駆動するとともに、前記間欠サイクルに占める駆動時間の割合が異なる値に設定された第１駆動サイクル及び第２駆動サイクルを選択的に切り替えて前記ファンを制御する拡散器のファン制御方法であって、
前記第２駆動サイクルにおいて前記間欠サイクルに占める前記駆動時間の割合を、前記第１駆動サイクルにおいて前記間欠サイクルに占める前記駆動時間の割合の少なくとも２倍超以上に設定することを特徴とした拡散器のファン制御方法。
【請求項２】
薬剤が設けられたケーシング内と外部とで空気を流通させるファンを、所定時間駆動してから所定時間停止する間欠サイクルで駆動するとともに、前記間欠サイクルに占める駆動時間の割合が異なる値に設定された第１駆動サイクル及び第２駆動サイクルを選択的に切り替えて前記ファンを制御する拡散器であって、
前記第２駆動サイクルにおいて前記間欠サイクルに占める前記駆動時間の割合を、前記第１駆動サイクルにおいて前記間欠サイクルに占める前記駆動時間の割合の少なくとも２倍超以上に設定したことを特徴とする拡散器。
【発明の詳細な説明】
【技術分野】
【０００１】
本発明は、ファンを用いて芳香薬剤を揮散する拡散器のファン制御方法及び拡散器に関する。
【背景技術】
【０００２】
従来、トイレや居住空間内で使用する拡散器として、ファンを用いて芳香薬剤を揮散する芳香発生装置が知られている（例えば、特許文献１）。
【０００３】
この芳香発生装置では、モータで駆動されるファンからの風を固形又は液状の芳香剤を介して外部へ送風することで、室内に広げられるように構成されている。
【０００４】
また、薬剤を揮散させる際に、間欠駆動されるファンの動作時間を可変する制御方法も知られている（例えば、特許文献２及び特許文献３）。
【特許文献１】実開昭６２−２７７９６４号公報
【特許文献２】実開昭６１−２８４２５１号公報
【特許文献３】特開２００１−２９２６８１号公報
【発明の開示】
【発明が解決しようとする課題】
【０００５】
しかしながら、このような拡散器にあっては、使用する部屋の大きさが二倍になると適切な拡散効果が得られないという問題があった。
【０００６】
このため、芳香器の場合には、香りの強さの変化として感じられないという問題があった。
【０００７】
本発明は、このような従来の課題に鑑みてなされたものであり、大きさが二倍の部屋で使用する場合であっても、適切な拡散効果を得ることができる拡散器のファン制御方法及び拡散器を提供することを目的とするものである。
【課題を解決するための手段】
【０００８】
前記課題を解決するために本発明の請求項１の拡散器のファン制御方法にあっては、薬剤が設けられたケーシング内と外部とで空気を流通させるファンを、所定時間駆動してから所定時間停止する間欠サイクルで駆動するとともに、前記間欠サイクルに占める駆動時間の割合が異なる値に設定された第１駆動サイクル及び第２駆動サイクルを選択的に切り替えて前記ファンを制御する拡散器のファン制御方法であって、前記第２駆動サイクルにおいて前記間欠サイクルに占める前記駆動時間の割合を、前記第１駆動サイクルにおいて前記間欠サイクルに占める前記駆動時間の割合の少なくとも２倍超以上に設定する。
【０００９】
すなわち、間欠サイクルに占めるファンの駆動時間の割合を増大する場合、増大する駆動時間に比例して薬剤の拡散量が増大しないことが知られている。
【００１０】
具体的に駆動時間の増加を開始した初期段階では、薬剤の拡散量は増大するが、駆動時間の増加に対して拡散量が増大する領域は、極狭い範囲であり、通常は、総揮散量の関係上、駆動時間の増加に対して拡散量の増加率が低下した領域で制御が行われていることが実験により明らかになった。
【００１１】
そこで、本発明では、選択的に切り替えられる第２駆動サイクルに占める駆動時間の割合を、第１駆動サイクルに占める駆動時間の割合の少なくとも２倍超以上に設定したため、前記第２駆動サイクル選択時には、前記第１駆動サイクル選択時と比較して、ファンの駆動時間が少なくとも２倍超以上となる。
【００１２】
このため、例えば６畳間で使用する拡散器を、１２畳のリビングで使用する場合であっても、前記第１駆動サイクルから前記第２駆動サイクルに切り替えることによって、広さが二倍になった部屋に応じた適切な拡散効果が得られる。
【００１３】
また、本発明の請求項２の拡散器にあっては、薬剤が設けられたケーシング内と外部とで空気を流通させるファンを、所定時間駆動してから所定時間停止する間欠サイクルで駆動するとともに、前記間欠サイクルに占める駆動時間の割合が異なる値に設定された第１駆動サイクル及び第２駆動サイクルを選択的に切り替えて前記ファンを制御する拡散器であって、前記第２駆動サイクルにおいて前記間欠サイクルに占める前記駆動時間の割合を、前記第１駆動サイクルにおいて前記間欠サイクルに占める前記駆動時間の割合の少なくとも２倍超以上に設定した。
【００１４】
この場合も、請求項１と同様の作用効果が得られる。
【発明の効果】
【００１５】
以上説明したように本発明の請求項１の拡散器のファン制御方法及び請求項２の拡散器にあっては、ファンを間欠駆動する駆動サイクルを、第１駆動サイクルから第２駆動サイクルに変更した際には、ファンの駆動時間を２倍超以上することができる。
【００１６】
このため、例えば６畳間で使用する拡散器を、１２畳のリビングで使用する場合であっても、前記第１駆動サイクルから前記第２駆動サイクルに切り替えることによって、広さが二倍になった部屋に応じた適切な拡散効果を得ることができる。
【００１７】
したがって、拡散する薬剤が芳香剤の場合には、基準となる広さの部屋であっても、その二倍に広さの部屋であっても、第１及び第２駆動サイクルの切り替えによって、各部屋の広さに応じて適切な香りを広げることができる。
【発明を実施するための最良の形態】
【００１８】
以下、本発明の一実施の形態を図に従って説明する。図１は、本実施の形態にかかる拡散器の一例としての芳香器１を示す図であり、該芳香器１は、トイレや居住空間で使用されるものである。
【００１９】
この芳香器１は、図２にも示すように、下部を構成する芳香器本体１１と、該芳香器本体１１の上部に着脱自在に取り付けられるカバー１２とによって構成されている。該カバー１２内には、薬剤瓶１３が交換可能に設けられており、該薬剤瓶１３に収容された液状薬剤を揮散できるように構成されている。
【００２０】
前記芳香器本体１１は、図３に示すように、底部を構成する容器部２１と、該容器部２１の上部開口部を閉鎖して上下を隔てる隔成部２２と、該隔成部２２上に配置されるファン２３と、前記隔成部２２の上部に間隔を置いて配置されるリング状のリングフィン２４と、該リングフィン２４の上部に間隔を置いて配置される薬剤載置部２５とによって構成されている。
【００２１】
前記容器部２１は、図４に示すように、楕円形の底面３１と、該底面３１の周縁に起立した周壁３２とによって容器状に形成されている。前記底面３１には、上方に膨出した裏面開口状の電池収容部３３が形成されており、当該電池収容部３３に底面側から電池を交換可能に収容できるように構成されている。前記電池収容部３３には、支柱３４，・・・が四カ所に立設されており、各支柱３４，・・・の端部には、前記電池収容部３３側に連通する連通穴３５，・・・が設けられている。また、前記周壁３２には、発光ダイオードが挿入されるライト穴３６が設けられており、その逆側には、スイッチが挿入されるスイッチ穴３７が設けられている。
【００２２】
この容器部２１上に配置される前記隔成部２２の周囲部には、図５に示すように、外縁へ向かうに従って上方に傾斜した下部傾斜面４１が形成されており、その内側には、円筒部４２が四カ所に設けられている。各円筒部４２，・・・の中央部には、円形穴４３，・・・が開設されており、各円形穴４３，・・・は、前記容器部２１に設けられた前記支柱３４，・・・の連通穴３５，・・・と合致する位置に設けられている。
【００２３】
この隔成部２２の裏面には、プリント基板５１が固定されており、該プリント基板５１に構成された電子回路は、前記電池収容部３３内の電池から電源供給を受けて作動するように構成されている。前記プリント基板５１には、前記電子回路によって回動制御されるモータ５２が設けられており、該モータ５２は、前記隔成部２２の中央に膨出形成されたモータ取付部５３内に収容された状態で固定されている。このモータ５２の回転軸５４は、前記隔成部２２を挿通して上方に突出しており、この回転軸５４には、前記ファン２３が固定されている。
【００２４】
該ファン２３は、図３に示したように、前記回転軸５４に取り付けられるボス部６１と、該ボス部６１より側方に延出する延出片６２，・・・と、各延出片６２，・・・に支持され前記モータ取付部５３を包囲するように配置される円筒部６３とによって構成されている。該円筒部６３には、複数のスリット６４，・・・が設けられており、各スリット６４，・・・の縁部からは、内側へ向けて斜めに延出する整流フィン６５，・・・が設けられている。これにより、当該ファン２３が回動された際には、前記各延出片６２，・・・間の開口部分６６，・・・から導入した空気を、前記各スリット６４，・・・から外周部へ排出できるように構成されている。
【００２５】
前記隔成部２２上に配置される前記リングフィン２４は、図６に示すように、楕円リング状に形成されており、その内側には、平坦な平坦部７１が設けられている。この平坦部７１は、前記隔成部２２の前記円筒部４２，・・・に支持されるように構成されており、当該リングフィン２４と前記隔成部２２との間には、前記円筒部４２，・・・の高さ分の間隙が確保されている。前記円筒部４２による支持位置の中央には、上下に貫通する貫通穴７２，・・・が設けられており、当該平坦部７１の外周部には、外周部へ向かうに従って上方に傾斜した中傾斜面７３が形成されている。
【００２６】
このリングフィン２４上に配置される前記薬剤載置部２５の中央部には、図７に示すように、四カ所の支持部８１，・・・で支持された棚面８２が設けられており、前記各支持部８１，・・・間には、上下を連通する通流部８３，・・・が設けられている。前記棚面８２の縁部には、上方に延出するリブ８４，８４が対向して設けられており、当該棚面８２に載置された前記薬剤瓶１３を位置決めできるように構成されている。
【００２７】
前記棚面８２の外周部には、周縁へ向かうに従って上方に傾斜した上部傾斜面９１が形成されており、該上部傾斜面９１の上面には、上方に延出する係止片９２，９２が相対向する部位に立設されている。各係止片９２，９２の上端には、前記カバー１２の内側面と係合する係合爪９３，９３が突設されており、該係合爪９３，９３の下部には、押圧操作用の凸部９４，９４が形成されている。
【００２８】
また、前記薬剤載置部２５の裏面には、下方へ向けて延出する脚部１０１，・・・が前記上部傾斜面９１の内側の４カ所に設けられており、各脚部１０１，・・・の端部には、小孔が設けられている（図示省略）。これにより、芳香器本体１１組み立て時には、前記各脚部１０１，・・・を前記リングフィン２４の前記貫通穴７２，・・・へ挿通して前記隔成部２２の円筒部４２，・・・に内嵌し、当該隔成部２２を前記容器部２１に取り付けた状態で、前記容器部２１の前記電池収容部３３側から当該容器部２１に設けられた前記支柱３４，・・・の連通穴３５，・・・にタッピンネジを挿入するとともに、該タッピンネジを前記脚部１０１，１０１の小孔に螺入することによって、前記薬剤載置部２５と前記リングフィン２４と前記隔成部２２とを前記容器部２１に固定できるように構成されている。
【００２９】
前記カバー１２の上端部には、図２に示したように、水平方向に延在するスリット１１１，・・・が設けられており、下部には、内部に連通する楕円形の窓部１１２が開設されている。また、前記係止片９２に対応する部位には、前記凸部９４を露出させる為の切欠部１１３が設けられており、前記凸部９４の押圧操作を可能としている。
【００３０】
また、前記薬剤瓶１３は、図８に示すように、透明のガラスによって形成されており、矩形容器状の瓶本体１２１と、キャップ取付時に閉鎖される円筒状の口部１２２とによって構成されている。前記瓶本体１２１の対向する側面には、縦長の凹部１２３，１２３が形成されており（一方のみ図示）、取付時において、図２に示したように、前記薬剤載置部２５に設けられた前記リブ８４，８４が前記各凹部１２３，１２３内に挿入された状態で、当該薬剤瓶１３が位置決めされるように構成されている。前記口部１２２には、芯材が収容されており（図示省略）、該芯材が瓶本体１２１内の液状薬剤を吸い上げることによって、芯材の露出部より前記液状薬剤を揮散できるように構成されている。
【００３１】
これにより、図９に示すように、前記芳香器本体１１に前記薬剤瓶１３をセットするとともに前記カバー１２を取り付けた状態で、該カバー１２内には、揮散した液状薬剤が貯留される貯留空間１３１が形成されており、前記スイッチ操作に従って前記モータ５２を作動して前記ファン２３を回動することによって、前記カバー１２上端部のスリット１１１，・・・から前記貯留空間１３１内に空気を導入するとともに、該貯留空間１３１に貯留した空気を前記薬剤載置２４部の上部傾斜面９１と前記隔成部２２の前記下部傾斜面４１間に形成された排出口１３２から排出できるように構成されている。
【００３２】
一方、図１０は、前記プリント基板５１に形成された電子回路の構成を示すブロック図であり、当該芳香器１は、制御部１４１を中心に構成されている。該制御部１４１は、前記電池収容部３３に収容された電池１４２から電源供給を受けて作動するとともに、前記芳香器本体１１に設けられたスイッチ１４３が接続されている。該スイッチ１４３は、例えばオフ選択端子１４４と弱選択端子１４５と強選択端子１４６とのいずれかが選択されグランドライン１４７に接続されるように構成されており、前記制御部１４１は、この選択操作に応じて前記モータ５２に出力するモータ制御信号を可変するように構成されている。
【００３３】
すなわち、図１１は、前記モータ制御信号を示す図である。なお、前記スイッチ１４３によって前記オフ選択端子１４４が選択された場合、前記制御部１４１は前記モータ制御信号を出力しないように構成されている。
【００３４】
前記スイッチ１４３によって前記弱選択端子１４５が選択された際には、第１駆動サイクル１５１のモータ制御信号を出力するように構成されており、前記スイッチ１４３によって前記強選択端子１４５が選択された際には、第２駆動サイクル１５２のモータ制御信号を出力するように構成されている。
【００３５】
前記モータ制御信号は、前記モータ５２に通電して該モータ５２を所定時間駆動してから、通電を停止することによってモータ５２を所定時間停止する間欠サイクルで構成されており、前記第１駆動サイクル１５１と前記第２駆動サイクル１５２とでは、前記間欠サイクルに占める駆動時間の割合が異なる値に設定されている。
【００３６】
すなわち、前記第１駆動サイクル１５１における駆動時間Ｍ１と停止時間Ｓ１とを合算した前記間欠サイクル一周期の時間をＴ１とするとともに、前記第２駆動サイクル１５２における駆動時間Ｍ２と停止時間Ｓ２とを合算した前記間欠サイクル一周期の時間をＴ２とした場合、前記第２駆動サイクル１５２において前記間欠サイクルＴ２に占める前記駆動時間Ｍ２の割合は、前記第１駆動サイクル１５１において前記間欠サイクルＴ１に占める前記駆動時間Ｍ１の割合の少なくとも２倍を越える値以上に設定されている。
【００３７】
具体的に説明すると、（Ｍ１／Ｔ１）は０．１〜０．３の範囲内に設定され、（Ｍ２／Ｔ２）は０．２１〜０．６３の範囲内に設定されている。このとき、（Ｍ２／Ｔ２）／（Ｍ１／Ｔ１）≧２．１となるようにする。
【００３８】
以上の構成にかかる本実施の形態において、香りの強さを変更する際には、スイッチ１４３を操作して、スイッチ１４３を弱選択端子１４５から強選択端子１４６へ切り替える。
【００３９】
このとき、前記強選択端子１４６選択時に制御部１４１からモータ５２へ出力される前記第２駆動サイクル１５２では、その間欠サイクルＴ１に占める前記駆動時間Ｍ１の割合が、前記弱選択端子１４５選択時に出力される第１駆動サイクル１５１での駆動時間Ｍ２の割合の２倍超以上に設定されている。このため、前記第２駆動サイクル１５２選択時には、前記第１駆動サイクル１５１選択時と比較して、ファン２３の駆動時間が二倍を越える長さ以上となる。
【００４０】
ここで、間欠サイクルに占めるファン２３の駆動時間の割合を増大する場合、増大する駆動時間に比例して薬剤の拡散量が増大しないことが知られている。
【００４１】
具体的に駆動時間の増加を開始した初期段階では、薬剤の拡散量は増大するが、駆動時間の増加に対して拡散量が増大する領域は、極狭い範囲であり、通常は、総揮散量の関係上、駆動時間の増加に対して拡散量の増加率が低下した領域で制御が行われていることが実験により明らかになった。
【００４２】
そこで、本実施の形態では、選択的に切り替えられる第２駆動サイクル１５２に占める駆動時間Ｍ２の割合を、第１駆動サイクル１５１に占める駆動時間Ｍ１の割合の少なくとも２倍超以上に設定したため、前記第２駆動サイクル１５２選択時には、前記第１駆動サイクル１５１選択時と比較して、ファン２３の駆動時間が少なくとも２倍超以上となる。
【００４３】
このため、例えば６畳間で使用する芳香器１を、１２畳のリビングで使用する場合であっても、前記第１駆動サイクル１５１から前記第２駆動サイクル１５２に切り替えることによって、広さが二倍になった部屋に応じた適切な芳香剤の拡散効果を得ることができる。
【００４４】
したがって、スイッチ１４３切り替えによって第１及び第２駆動サイクル１５１，１５２の切り替えによって、各部屋の広さに応じて香りを適切に広げることができる。
【００４５】
本実施の形態においてスリット１１１付近にフィルタを設け、清浄した空気に薬効を付与させて周囲に排出されるようにすることもできる。
【図面の簡単な説明】
【００４６】
【図１】本発明の一実施の形態を示す図である。
【図２】同実施の形態のカバーを外した状態を示す斜視図である。
【図３】同実施の形態の芳香器本体を示す分解斜視図である。
【図４】同実施の形態の容器部を示す拡大図である。
【図５】同実施の形態の隔成部を示す拡大図である。
【図６】同実施の形態のリングフィンを示す拡大図である。
【図７】同実施の形態の薬剤載置部を示す拡大図である。
【図８】同実施の形態の薬剤瓶を示す拡大図である。
【図９】同実施の形態の内部の様子を示す説明図である。
【図１０】同実施の形態を示すブロック図である。
【図１１】同実施の形態のモータへの制御信号を示す説明図である。
【符号の説明】
【００４７】
１    芳香器
１２    カバー
１３    薬剤瓶
２３    ファン
１４１    制御部
１５１    第１駆動サイクル
１５２    第２駆動サイクル
【図１】
2006158466.tif 000003
【図２】
2006158466.tif 000004
【図３】
2006158466.tif 000005
【図４】
2006158466.tif 000006
【図５】
2006158466.tif 000007
【図６】
2006158466.tif 000008
【図７】
2006158466.tif 000009
【図８】
2006158466.tif 000010
【図９】
2006158466.tif 000011
【図１０】
2006158466.tif 000012
【図１１】
2006158466.tif 000013